(57)【要約】【課題】  器具本体の吊り下げ支持が容易にでき、かつ、吊り下げ部材が大径部に移動することを阻止できる照明器具を供給することにある。【解決手段】天井より垂下された吊下げボルト２０と、吊下げボルト２０に螺合する支持ナット３０と、吊下げボルト２０が挿通されるとともに支持ナット３０によって支持された支持ワッシャ４０と、を用いて吊下げ支持される照明器具であって、支持ワッシャ４０を挿通可能な程度に大きい大径部１２ａとこの大径部１２ａに連通し短手方向の幅寸法が支持ワッシャ３０の外径よりも小さくかつ吊下げボルト２０の外径よりも大きい小径部１２ｂとを有する支持穴１２を器具本体１１に設け、器具本体１１が小径部１２ｂにて吊下げ支持されているときに大径部１２ａの少なくとも一部を塞いで吊下げボルト２０が大径部１２ａに移動することを阻止する落下防止用切り起こし片１５を大径部１２ａ近傍の器具本体１１に設けた。【選択図】        図３
2006252896.tif 000002
【特許請求の範囲】
【請求項１】
天井より垂下された吊下げボルトと、吊下げボルトに螺合する支持ナットと、吊下げボルトが挿通されるとともに支持ナットによって支持された支持ワッシャと、を用いて吊下げ支持される照明器具であって、前記支持ワッシャを挿通可能な程度に大きい大径部とこの大径部に連通し短手方向の幅寸法が支持ワッシャの外径よりも小さくかつ吊下げボルトの外径よりも大きい小径部とを有する支持穴を器具本体に設け、前記器具本体が前記小径部にて吊下げ支持されているときに前記大径部の少なくとも一部を塞いで吊下げボルトが大径部に移動することを阻止する落下防止用切り起こし片を前記大径部近傍の器具本体に設けたことを特徴とする照明器具。
【請求項２】
前記落下防止用切り起こし片は、前記器具本体に切り起こしを設け、この切り起こしを略１８０度回転させることで前記大径部の少なくとも一部を塞ぐものであることを特徴とする請求項１記載の照明器具。
【請求項３】
前記落下防止用切り起こし片は、前記吊下げボルトが前記大径部を連通するときは器具本体の下方に折り曲げられ、前記器具本体が前記小径部にて吊下げ支持されているときは、前記折り曲げを前記大径部の少なくとも一部を塞ぐように折り曲げることで前記落下防止用切り起こし片が吊下げボルトが大径部に移動することを阻止するものであることを特徴とする請求項１記載の照明器具。
【発明の詳細な説明】
【技術分野】
【０００１】
本発明は、天井から吊り下げ支持される照明器具に関する。
【背景技術】
【０００２】
この種の照明器具としては、実開昭５７−４９９１１号公報に開示されたものがある。図５は、これに開示された照明器具の要部を下方から見た図で、図５（ａ）は器具本体を取付ける前の図で、図５（ｂ）は器具本体を取付ける前の図である。この照明器具は、吊り下げ部材である木ネジを用いて吊下げ支持される照明器具１０である。
【０００３】
このものは、ランプを保持するソケットが設けられた器具本体１１を有し、この器具本体１１には、木ネジ頭を挿通可能な程度に大きい大径部１２ａと、この大径部１２ａに連通し短手方向の幅寸法が木ネジのネジ山の外径よりも小さくかつ木ネジ頭の外径よりも大きい小径部１２ｂと、を有する支持穴１２が設けられている。さらに器具本体１１が小径部１２ｂにて吊下げ支持されているときに木ネジが大径部１２ａに移動することを阻止する切り起こし爪１１１を小径部１２ｂの先端部の一方の側縁に小径部１２ｂの長手方向に平行に設け、小径部１２ｂの先端部に小径部１２ｂと連通した短手方向の子孔１１２が設けられている。
【０００４】
このものの取付けを説明する。まず大径部１２ａに木ネジ頭を貫通させて、木ネジ頭を器具本体１０の下面側に飛び出させる。さらに木ネジを小径部１２ｂに沿って移動させる。切り起こし爪１１１の箇所では、これに当接しないようにさらに器具本体１１を持ち上げ、切り起こし爪１１１を越して、さらに器具本体１１を小径部１２ｂの長手方向とは直角方向の短手方向に移動させて、木ネジが子孔１１２に位置したときに器具本体１１を降ろす。こうすることで木ネジ頭が器具本体１１を吊り下げ支持し、照明器具の取付けが完了する。
このように取付けられた照明器具は、吊り下げ部材である木ネジが小径部１２ｂから大径部１２ａに移動することを切り起こし爪１１１により阻止できるので、例えば、地震などで照明器具が振動しても器具本体１１が切り起こし爪１１１を乗り越えるほどに揺れない限りは、照明器具が落下することがなくその安全性を確保できるものであった。
【特許文献１】実開昭５７−４９９１１号公報
【発明の開示】
【発明が解決しようとする課題】
【０００５】
ところが上記した照明器具１１は、切り起こし爪１１１を越すために器具本体１１を持ち上げる必要があり、単純に照明器具１１を水平に動作させるだけで取付けできるものではなかった。さらに、一旦、器具本体１１を小径部１２ｂの長手方向に移動させた後に、器具本体１１を前記長手方向とは直角の方向となる短手方向に移動させる必要があり、その操作も複雑であった。
【０００６】
本発明は、上記事由に鑑みてなしたもので、その課題は、器具本体の吊り下げ支持が容易にでき、かつ、吊り下げ部材が大径部に移動することを阻止できる照明器具を供給することにある。
【課題を解決するための手段】
【０００７】
本発明の請求項１に係る照明器具は、天井より垂下された吊下げボルトと、吊下げボルトに螺合する支持ナットと、吊下げボルトが挿通されるとともに支持ナットによって支持された支持ワッシャと、を用いて吊下げ支持される照明器具であって、前記支持ワッシャを挿通可能な程度に大きい大径部とこの大径部に連通し短手方向の幅寸法が支持ワッシャの外径よりも小さくかつ吊下げボルトの外径よりも大きい小径部とを有する支持穴を器具本体に設け、前記器具本体が前記小径部にて吊下げ支持されているときに前記大径部の少なくとも一部を塞いで吊下げボルトが大径部に移動することを阻止する落下防止用切り起こし片を前記大径部近傍の器具本体に設けたことを特徴とする。
【発明の効果】
【０００８】
請求項１記載の発明にあっては、ソ器具本体が前記小径部にて吊下げ支持されているときに前記大径部の少なくとも一部を塞いで吊下げボルトが大径部に移動することを阻止する落下防止用切り起こし片を前記大径部近傍の器具本体に設けたことにより、器具本体の吊り下げ支持が容易にでき、かつ、吊り下げ部材が大径部に移動することを阻止できるものとなる。
【発明を実施するための最良の形態】
【０００９】
（実施の形態）
本発明の実施の形態を図１〜図３を用いて説明する。図１はこの照明器具を天井に取付けるときの分解斜視図、図２は支持部を下方から見た図、図３はこのものの要部を説明するための図で、図３（ａ）は器具本体が取付けられる前の下面図、図３（ｂ）は器具本体を取付けた後の下面図である。
【００１０】
この照明器具は、吊り下げ部材である天井より垂下された吊下げボルト２０と、吊下げボルト２０に螺合する支持ナット３０と、吊下げボルト２０が挿通されるとともに支持ナット３０によって支持された支持ワッシャ４０と、を用いて吊下げ支持される照明器具である。
このものは、ランプを保持するソケットと、ランプを点灯させる安定器と、これらソケットと安定器とを収納する器具本体１１と、を有する。
器具本体１１は、下方に開口を有する箱型をなし板金を折り曲げして形成されている。そして、その内側には、直菅ランプを装着可能なソケットが２組設けられている。
【００１１】
そして、この器具本体１１の天板には、支持ワッシャ４０を挿通可能な程度に大きい大径部１２ａと、この大径部１２ａに連通し短手方向の幅寸法が支持ワッシャ４０の外径よりも小さくかつ吊下げボルト２０の外径よりも大きい小径部１２ｂと、を有する支持穴１２が器具本体１１の長手方向に所定の間隔を開けて一対設けられている。
【００１２】
さらに、器具本体１１には、器具本体１１が小径部１２ｂにて吊下げ支持されているときに吊り下げ部材が大径部１２ａに移動することを防止するストッパー１４が設けられている。このストッパー１４は、器具本体１１を下側に突出させたものであり、小径部１２ｂの両側であって、小径部１２ｂの大径部１２ａ側に設けられている。
【００１３】
また、器具本体１１には、器具本体１１が小径部１２ｂにて吊下げ支持されているときに大径部１２ａの少なくとも一部を塞いで吊下げボルト２０が大径部１２ａに移動することを阻止する落下防止用切り起こし片１５が設けられている。  この落下防止用切り起こし片１５は、器具本体１１を切り起こして形成されたものであり、器具本体１１の大径部１２ａの近傍に設けられている。そして、この落下防止用切り起こし片１５は、手あるいは工具などで応力を加えることで、折り返すこと、すなわち略１８０度回転させることができるようになっており、略１８０度回転させた状態では、大径部１２ａを塞ぐことができるものとなっている。
【００１４】
次に、この照明器具を天井に設けられた天井穴ｘへ取付けるときの手順を説明する。まず、支持ナット３０の上に支持ワッシャ４０を載せ、この状態で支持ナット３０を吊下げボルト２０に螺合する。これにより吊り下げ部材が完成する。さらに大径部１２ａを通して支持ナット３０（支持ワッシャ４０）を器具本体１１の下側へ導く。さらに吊下げボルト２０が大径部１２ａから小径部１２ｂに移動するように器具本体１１を移動させる。（このとき支持ナット３０と支持ワッシャ４０がストッパー１４を乗り越えるまで移動させる。）こうすることで器具本体１１が吊り下げ部材により吊下げ支持される。このとき落下防止用切り起こし片１５を工具を使い大径部１２ａを塞ぐように折り返す。（図３参照）これでこの照明器具の天井穴ｘへの取付けが完了する。
なお、この照明器具を天井穴ｘから取り外すときの手順は、前記したものと逆のことをすれば照明器具を天井穴ｘから取り外すことができる。
【００１５】
この実施の形態によると、器具本体１１が小径部１２ｂにて吊下げ支持されているときに大径部１２ａの少なくとも一部を塞いで吊下げボルト２０が大径部１２ａに移動することを阻止する落下防止用切り起こし片１５を大径部１２ａ近傍の器具本体１１に設けたことにより、器具本体１１の吊り下げ支持が容易にできるとともに吊り下げ部材が大径部１２ａに移動することを阻止できるものとなる。
さらに、落下防止用切り起こし片１５は、器具本体１１に切り起こしを設け、この切り起こしを略１８０度回転させることで大径部１２ａの少なくとも一部を塞ぐものとしたことにより、器具本体１１の吊り下げ支持がさらに容易にできるものとなる。
【００１６】
次に、この実施の形態の応用例を図４を用いて説明する。図４はこのものの要部を説明するための図で、図４（ａ）は器具本体が取付けられる前の下面図、図４（ｂ）は器具本体を取付け過程の下面図、図４（ｃ）は器具本体を取付けた後の下面図である。
このものは、前記した落下防止用切り起こし片１５を変えたものである。すなわち落下防止用切り起こし片１５を吊下げボルト２０が大径部１２ａを連通するときは器具本体１１の下方に折り曲げられ、器具本体１１が小径部１２ｂにて吊下げ支持されているときは、前記した折り曲げを略フラットに戻すことにより大径部１２ａを塞ぐようにしたものである。このように落下防止用切り起こし片１５を形成したので落下防止用切り起こし片１５が吊下げボルト２０を大径部１２ａに移動することを阻止できるものとなる。
その他の前述した実施の形態と同一の構成部材には、同一符号を付すことにより説明を省略する。
【００１７】
次に、この照明器具を天井に設けられた天井穴ｘへ取付けるときの手順を説明する。まず、支持ナット３０の上に支持ワッシャ４０を載せ、この状態で支持ナット３０を吊下げボルト２０に螺合する。これにより吊り下げ部材が完成する。さらに吊下げボルト２０の下端部及び支持ナット３０で大径部１２ａの一部を塞ぐように設けられた落下防止用切り起こし片１５を下方に押しのけて支持ナット３０（支持ワッシャ４０）を器具本体１１の下側へ導く。このとき落下防止用切り起こし片１５は器具本体１１の下方に折り曲げられた状態になる。（図４（ｂ）に図示。）
さらに吊下げボルト２０が大径部１２ａから小径部１２ｂに移動するように器具本体１１を移動させる。こうすることで器具本体１１が吊り下げ部材により吊下げ支持される。そして落下防止用切り起こし片１５を略フラットに戻すことにより大径部１２ａの一部を落下防止用切り起こし片１５で塞いでやる。これでこの照明器具の天井穴ｘへの取付けが完了する。
【００１８】
この応用例によると、落下防止用切り起こし片１５を吊下げボルト２０が大径部１２ａを連通するときは器具本体１１の下方に折り曲げられ、器具本体１１が小径部１２ｂにて吊下げ支持されているときは、前記折り曲げを前記大径部の少なくとも一部を塞ぐように折り曲げることで落下防止用切り起こし片１５が吊下げボルト２０が大径部１２ａに移動することを阻止するものとしたことにより、器具本体１１の吊り下げ支持が容易にできるものとなる。
なお、この応用例では、取付け前の状態において落下防止用切り起こし片１５が大径部１２ａを塞いでいる状態のもので説明したが、予め、落下防止用切り起こし片１５が下方に折り曲げられているものでもよい。
また、前記した実施の形態では、吊り下げ部材が吊下げボルト２０と、支持ナット３０と、支持ワッシャ４０と、に分解できるもので説明したが、吊下げボルト２０の下端部に座金付ナット、ボルト頭部、又は座金付頭部が固着されたものでもよい。
【図面の簡単な説明】
【００１９】
【図１】本発明の実施の形態に係る図で、この照明器具を天井に取付けるときの分解斜視図である。
【図２】同上の照明器具の支持部を下方から見た図である。
【図３】同上の照明器具の要部を説明するための図、図３（ａ）は器具本体が取付けられる前の下面図、図３（ｂ）は器具本体を取付けた後の下面図である。
【図４】本発明の応用例に係る図で、図４（ａ）は器具本体が取付けられる前の下面図、図４（ｂ）は器具本体を取付け過程の下面図、図４（ｃ）は器具本体を取付けた後の下面図である。
【図５】従来例に係る照明器具の要部を下方から見た図で、図５（ａ）は器具本体を取付ける前の図で、図５（ｂ）は器具本体を取付ける前の図である。
【符号の説明】
【００２０】
１１    器具本体
１２    支持穴
１２ａ  大径部
１２ｂ  小径部
１５    落下防止用切り起こし片
２０    吊下げボルト
３０    支持ナット
４０    支持ワッシャ
【図１】
2006252896.tif 000003
【図２】
2006252896.tif 000004
【図３】
2006252896.tif 000005
【図４】
2006252896.tif 000006
【図５】
2006252896.tif 000007